(57)【要約】      （修正有）【課題】紙等の安価なシート部材を利用しつつ、物品の出し入れや持ち運びの際の外部からの衝撃の際に破断しにくいケースを提供する。【解決手段】物品を収納するために用いられるケースＣは、物品を収納する収納空間ＳＰを形成し、収納空間ＳＰを閉塞する内壁Ａと、これら内ケース部及び内側壁部４をそれぞれ外側から遮蔽する外壁Ｂとを具備する。内壁Ａ及び外壁Ｂを、同一のシート部材を折り曲げシート部材の異なる部位を重ね合わせることにより形成する。【選択図】図２
0003158323.tif 000002
【実用新案登録請求の範囲】
【請求項１】
物品を収納するために用いられるケースであって、物品を収納する収納空間の内面を形成し該収納空間を閉塞する内壁と、内壁を外側から遮蔽する外壁とを具備し、これら内壁及び外壁を、同一のシート部材を折り曲げ該シート部材の異なる部位を重ね合わせることにより形成していることを特徴とするケース。
【請求項２】
前記内壁を形成する複数の壁体の一部を前記収納空間を遮蔽する位置と前記収納空間を外部と連通させる位置との間で移動可能な蓋片としているとともに、この蓋片を収納空間の外部に向けて移動させることにより、この蓋片及び内壁の前記蓋片に隣接する部位が一体に収納空間の外部に向けて移動し収納空間内に収納した収納物を外部に引き出すことを可能に構成している請求項１記載のケース。
【請求項３】
シート部材の折り曲げ稜線上に差込孔を設け、この差込孔に外壁に隣接させて設けた差込突起を係合させるようにしている請求項１又は２記載のケース。
【請求項４】
前記差込突起の最大幅寸法を前記差込孔の開口幅よりも大きくしているとともに、前記差込突起の基端部に幅寸法を前記差込孔の開口幅よりも小さくして形成した係止部を設けている請求項３記載のケース。
【請求項５】
外面に開閉操作を受け付ける蓋体を設定しているとともに、この蓋体の先端縁部に係止片を設け、この蓋体の内側に重なり合う面を形成する壁体に、該壁体の外縁部をなす折り曲げ稜線に対して傾斜を有する方向に延伸し前記係止片を挿入させてなる係止孔を設けている前記請求項１、２、３又は４記載のケース。
【請求項６】
前記係止孔を、折り返し片を折り返し線で内側に折り返して形成している請求項５記載のケース。
【請求項７】
直方体状又は立方体状をなし、前記内壁が、収納空間の前面を形成する前壁、収納空間の底面を形成する底壁、収納空間の後面を形成する後壁、及び収納空間の頂面を形成する頂壁を有する内ケース部と、収納空間の左右両側面をそれぞれ形成する左右両内側壁部とからなり、前記外壁が、前記内ケース部の頂壁、後壁、底壁、及び前壁にそれぞれ外側から重なり合う頂壁、後壁、底壁、及び前壁を有する外ケース部と、前記左右両内側壁部にそれぞれ外側から重なり合う左右両外側壁部を少なくとも有する請求項１、２、３、４、５又は６記載のケース。
【請求項８】
前記シート部材が紙製であるとともに、１枚のシート部材を折り曲げることにより全体を形成している請求項１、２、３、４、５、６又は７記載のケース。
【請求項９】
前記外壁の一部に、収納物を示す表示を行うための表示領域を形成している請求項１、２、３、４、５、６、７又は８記載のケース。
【請求項１０】
収納物がカード類である請求項１、２、３、４、５、６、７、８又は９記載のケース。
【考案の詳細な説明】
【技術分野】
【０００１】
本考案は、物品を梱包するために用いられる直方体状又は立方体状のケースに関する。
【背景技術】
【０００２】
従来、物品を梱包する際のケースとして、紙等のシート状の材料を折り曲げて内部に収納空間を形成する態様のものを利用することが広く行われている（例えば、特許文献１を参照）。このようなケースに複数個の物品を収納する場合、例えば名刺ケース等として用いる場合、このようなケースから収納物の出し入れを繰り返す利用態様が広く行われている。
【０００３】
しかして、このようなケースが紙製の箱状に形成したものである場合、以下に述べる不具合が存在していた。すなわち、１枚の紙から６面全てを形成し、各面が１枚の紙のみからなる場合、物品の出し入れや持ち運びの際の外部からの衝撃の際に、このようなケースが破損してケースの内部が外方に露出する部位が発生することがある。
【先行技術文献】
【特許文献】
【０００４】
【特許文献１】実用新案登録第３０７３３９０号公報
【考案の概要】
【考案が解決しようとする課題】
【０００５】
本考案は以上の点に着目し、紙等の安価なシート部材を利用しつつ、物品の出し入れや持ち運びの際の外部からの衝撃の際に破断しにくいケースを実現することを目的とする。
【課題を解決するための手段】
【０００６】
本考案は、以上のような課題を踏まえ、次のような手段を講じたものである。
【０００７】
すなわち本考案に係るケースは、物品を収納するために用いられるケースであって、物品を収納する収納空間の内面を形成し該収納空間を閉塞する内壁と、内壁を外側から遮蔽する外壁とを具備し、これら内壁及び外壁を、同一のシート部材を折り曲げ該シート部材の異なる部位を重ね合わせることにより形成していることを特徴とする。
【０００８】
このような構成であれば、内壁により収納空間を閉塞した上で、内壁を外壁により遮蔽しているので、収納空間の全周が少なくとも内壁及び外壁により保護される構造となり、簡単な構成によりケースとしての強度を確保することができる。しかも、１枚のシート部材を打ち抜き成形した後折り曲げてこれら内壁及び外壁を形成することにより、少ない部品点数及び少ない手間でこのようなケースを形成することができる。
【０００９】
特に、前記内壁を形成する複数の壁体の一部を前記収納空間を遮蔽する位置と前記収納空間を外部と連通させる位置との間で移動可能な蓋片としているとともに、この蓋片を収納空間の外部に向けて移動させることにより、この蓋片及び内壁の前記蓋片に隣接する部位が一体に収納空間の外部に向けて移動し収納空間内に収納した収納物を外部に引き出すことを可能に構成しているものであれば、収納空間の内部に収納した物品の出し入れを簡単に行うことができる。
【００１０】
さらに、シート部材の折り曲げ稜線上に差込孔を設け、この差込孔に外壁に隣接させて設けた差込突起を係合させるようにしているものであれば、接着剤を利用することなくこのようなケースの組立を行うことができる。
【００１１】
前記差込突起の最大幅寸法を前記差込孔の開口幅よりも大きくしているとともに、前記差込突起の基端部に幅寸法を前記差込孔の開口幅よりも小さくして形成した係止部を設けているものであれば、この係止部を前記差込孔の開口端縁に係り合わせることにより、前記差込突起の抜け止めを図ることができる。
【００１２】
また、外面に開閉操作を受け付ける蓋体を設定しているとともに、この蓋体の先端縁部に係止片を設け、この蓋体の内側に重なり合う面を形成する壁体に、該壁体の外縁部をなす折り曲げ稜線に対して傾斜を有する方向に延伸し前記係止片を挿入させてなる係止孔を設けているものであれば、新たな折り返し箇所を設定することなく蓋体の係止片を係止孔に係止しておくことができ、また、無理のない動作によりケースの開閉操作を行うことができる。
【００１３】
特に、前記係止孔を、折り返し片を折り返し線で内側に折り返して形成しているものであれば、係止片を係止孔に挿入した状態で、折り返し片が係止片に弾性当接するので、係止片の抜け止めを図ることができる。
【００１４】
一方、このようなケースの具体的な構成の一例として、直方体状又は立方体状をなし、前記内壁が、収納空間の前面を形成する前壁、収納空間の底面を形成する底壁、収納空間の後面を形成する後壁、及び収納空間の頂面を形成する頂壁を有する内ケース部と、収納空間の左右両側面をそれぞれ形成する左右両内側壁部とからなり、前記外壁が、前記内ケース部の頂壁、後壁、底壁、及び前壁にそれぞれ外側から重なり合う頂壁、後壁、底壁、及び前壁を有する外ケース部と、前記左右両内側壁部にそれぞれ外側から重なり合う左右両外側壁部を少なくとも有するものが挙げられる。
【００１５】
また、前記シート部材が紙製であるとともに、１枚のシート部材を折り曲げることにより全体を形成しているものであれば、このようなケースを安価に、また、簡単な加工により形成することができる。
【００１６】
加えて、前記外壁の一部に、収納物を示す表示を行うための表示領域を形成しているものであれば、使用者に収納物をわかりやすく示すことや、他者に収納物を認識させるための宣伝媒体として用いることが可能になる。
【００１７】
そして、このようなケースに好適な利用態様として、収納物がカード類であるものが挙げられる。
【考案の効果】
【００１８】
本考案に係るケースの構成によれば、内壁により収納空間を閉塞した上で、内壁を外壁により遮蔽しているので、収納空間の全周が少なくとも内壁及び外壁により保護される構造となり、簡単な構成によりケースとしての強度を確保することができる。しかも、１枚のシート部材を打ち抜き成形した後折り曲げてこれら内壁及び外壁を形成することにより、少ない部品点数及び少ない手間でこのようなケースを形成することができる。
【図面の簡単な説明】
【００１９】
【図１】本考案の第一実施形態に係るケースを示す斜視図。
【図２】同実施形態に係るケースの収納空間を外部に露出させた状態を示す斜視図。
【図３】図１におけるｘ−ｘ断面図。
【図４】図１におけるｙ−ｙ断面図。
【図５】同実施形態に係るケースの展開図。
【図６】同実施形態に係るケースを示す底面斜視図。
【図７】本考案の第二実施形態に係るケースを示す斜視図。
【図８】図７におけるｚ−ｚ断面図。
【図９】同実施形態に係るケースの展開図。
【図１０】本考案の他の実施形態に係るケースを幅方向中央で切断した断面図。
【図１１】同実施形態に係るケースを奥行方向中央で切断した断面図。
【図１２】本考案の他の実施形態に係るケースを幅方向中央で切断した断面図。
【考案を実施するための形態】
【００２０】
以下、本考案の第一実施形態について図１〜図６を参照して説明する。
【００２１】
本実施形態は、図１〜図４に示すように、１枚の紙製のシート部材Ｓから形成したケースＣである。このケースＣは、直方体状をなし、収納空間ＳＰの前壁、底壁、後壁、及び頂壁（以下、内前壁１ａ、内底壁１ｂ、内後壁１ｃ、及び内頂壁１ｄとそれぞれ称する）を形成する内ケース部１と、この内ケース部１の外方に隣接し、頂壁、後壁、底壁、及び前壁（以下、外頂壁２ｄ、外後壁２ｃ、外底壁２ｂ、及び外前壁２ａとそれぞれ称する）を有する外ケース部２と、この外ケース部２、より具体的には外前壁２ａに隣接し前記外頂壁２ｄに設けた係止孔２ｘに係り合う係止片３１を有する蓋体３と、前記外底壁２ｂの左右両端縁からそれぞれ起立させて設けてなり収納空間ＳＰの左右両側面をそれぞれ形成する左右の内側壁部４と、前記外頂壁２ｄの左右両端縁からそれぞれ垂下させて設けてなり前記左右の内側壁部４を被覆する左右の外側壁部５とを具備する。すなわち、前記内ケース部１及び前記内側壁部４が収納空間ＳＰの６面を形成する内壁Ａとしての機能を有し、前記外ケース部２、蓋体３、及び前記外側壁部５が内壁Ａを外側から遮蔽する外壁Ｂとしての機能を有する。ここで、図３及び図４においては、外壁Ｂを薄墨色の部分として示している。
【００２２】
前記内ケース部１は、図５に示す１枚のシート部材Ｓの一方の端縁側から、順次収納空間ＳＰの内前壁１ａ、内底壁１ｂ、内後壁１ｃ、及び内頂壁１ｄとなる部位を、９０度ずつ折り曲げることにより筒状に形成している。図２に示すように、前記内前壁１ａは、外部に露出した状態では、前記収納空間ＳＰを遮蔽する位置と前記収納空間ＳＰを外部と連通させる位置との間で移動可能な蓋片としての機能を有する。そして、内頂壁１ｄの前端縁１ｅとなる部位を外方に１８０度折り返した後、外ケース部２を形成するようにしている。
【００２３】
前記外ケース部２は、上述したように内頂壁１ｄの前端縁１ｅとなる部位を外方に１８０度折り返した後、前記内ケース部１の内頂壁１ｄ、内後壁１ｃ、内底壁１ｂ、及び内前壁１ａにそれぞれ重合する部位を９０度ずつ折り曲げることにより筒状に形成している。すなわちこの外ケース部２は、図３及び図４に示すように、前記内頂壁１ｄ、内後壁１ｃ、内底壁１ｂ、及び内前壁１ａにそれぞれ重合して外側から遮蔽する部位である外頂壁２ｄ、外後壁２ｃ、外底壁２ｂ、及び外前壁２ａを有する。なお、本実施形態では、図２に示すように、この外ケース部２の外頂壁２ｄと前記内ケース部１の内頂壁１ｄとに跨り、物品を取り出す際に手指等が物品に直接触れることができるようにすべく、ケースＣとして組み立てた状態で半円形をなす指挿入部６を設けている。なお、図６に示すように、外ケース部２の外底壁２ｂの外面に、収納物を示す表示を行うための表示領域Ｂａを形成している。そして、外前壁２ａの上端からは、後方に向けて延び、この外ケース部２の外頂壁２ｄに重なり合う蓋体３を設けている。
【００２４】
前記蓋体３は、上述したように、また、図１及び図２に示すように、前記外前壁２ａの上端から後方に向けて延び、前記外頂壁２ｄに重なり合う。また、この蓋体３の後端部には略Ｖ字状の切欠き部３ｘを設けている。さらに、この切欠き部３ｘの端縁からは、前記外頂壁２ｄに設けた係止孔２ｘに差し込むことが可能な係止片３１を切欠き部３ｘ内において突出させて設けている。この係止片３１の先端部３１ａの形状は、突出端に向かい漸次幅寸法が小さくなる略逆Ｖ字形であるが、突出端近傍は円弧状に面取りしている。また、この係止片３１の基端部には、係止孔２ｘの一端縁に設けた抜け止め部２ｘ１に係り合う抜け止め凹部３１ｘを設けている。そして、この抜け止め凹部３１ｘと先端部３１ａとの間の部位を、幅寸法が一定な基部３１ｂとしている。
【００２５】
一方、前記外ケース部２の外底壁２ｂの左右両端縁からは、前述したように、また、図４に示すように、収納空間ＳＰの左右両側面をそれぞれ形成する左右の内側壁部４をそれぞれ起立させて設けている。この左右の内側壁部４の上端からは、内ケース部１の内頂壁１ｄと外ケース部２の外頂壁２ｄとの間に差し込んでなる第１の抜け止め片４１を連続させて設けている。また、これら左右の内側壁部４と前記外ケース部２の外底壁２ｂとの境界、すなわち外底壁２ｂの左右両側縁の稜線上には、左右の外側壁部５の先端に設けた後述する差込突起５１を挿入させるための差込孔４ｘを設けている。
【００２６】
また、前記外ケース部２の外頂壁２ｄの左右両端縁からは、前述したように、また、図４に示すように、前記左右の内側壁部４を被覆する左右の外側壁部５をそれぞれ垂下させて設けている。この左右の外側壁部５の下端すなわち先端には、前記差込孔４ｘに差し込むための差込突起５１を設けている。この差込突起５１の最大幅寸法を前記差込孔４ｘの開口幅よりも大きくしている。一方、前記差込突起５１の基端部には、左右両端部に切り込み５１ｘを入れ、残りの部分を、前記差込孔４ｘの開口幅よりも小さな幅寸法を有する係止部５１ａとし、ケースＣとして組み立てた状態でこの係止部５１ａが前記差込孔４ｘ内に位置するようにしている。さらに、これら左右の外側壁部５の後縁部からは、前記内ケース部１の内後壁１ｃと前記外ケース部２の外後壁２ｃとの間に挿入させてなる第２の抜け止め片５２をそれぞれ設けている。そして、これら左右の外側壁部５の前縁部からは、収納空間Ｓの前縁部に位置する前蓋片５３をそれぞれ設けている。
【００２７】
ここで、このケースＣは、図５に示すような厚紙等の１枚のシート部材Ｓ状の材料を折り曲げて全ての部位を形成している。このケースＣの組み立ての手順を以下に示す。
【００２８】
まず、内前壁１ａとなるべき部位と内底壁１ｂとなるべき部位との境界Ｌ１ａを９０度折り曲げる。次いで、内底壁１ｂとなるべき部位と内後壁１ｃとなるべき部位との境界Ｌ１ｂ、及び内後壁１ｃとなるべき部位と内頂壁１ｄとなるべき部位との境界Ｌ１ｃを順次９０度折り曲げ、内ケース部１を形成する。それから、内ケース部１の内頂壁１ｄとなるべき部位と外ケース部２の外頂壁２ｄとなるべき部位との境界Ｌ２を１８０度折り返す。さらに、外頂壁２ｄとなるべき部位と外後壁２ｃとなるべき部位との境界Ｌ３ａ、外後壁２ｃとなるべき部位と外底壁２ｂとなるべき部位との境界Ｌ３ｂ、外底壁２ｂとなるべき部位と外前壁２ａとなるべき部位との境界Ｌ３ｃ、及び外前壁２ａとなるべき部位と蓋体３となるべき部位との境界Ｌ３ｄを順次９０度折り曲げ、外ケース部２を形成する。さらに、外ケース部２の外底壁２ｂと左右の内側壁部４となるべき部位との境界Ｌ４ａを９０度折り曲げて起立させて左右の内側壁部４となるべき部位を形成し、その後、左右の内側壁部４と第１の抜け止め片４１となるべき部位との境界Ｌ４ｂを９０度折り曲げて第１の抜け止め片４１を形成し、第１の抜け止め片４１を内ケース部１の内頂壁１ｄと外ケース部２の外頂壁２ｄとの間に差し込む。それから、外ケース部２の外頂壁２ｄと左右の外側壁部５となるべき部位との境界Ｌ５ａを９０度折り曲げて垂下させて左右の外側壁部５となるべき部位を形成し、その後、左右の外側壁部５と第２の抜け止め片５２となるべき部位との境界Ｌ５ｂ、左右の外側壁部５と前蓋片５３となるべき部位との境界Ｌ５ｃ、及び左右の外側壁部５と差込突起５１となるべき部位との境界Ｌ５ｄを９０度折り曲げ、第２の抜け止め片５２を内ケース部１の内後壁１ｃと前記外ケース部２の外後壁２ｃとの間に挿入し、差込突起５１を差込孔４ｘに差し込む。
【００２９】
また、このケースＣに収納した物品を取り出す際には、以下のような操作を行うようにしている。
【００３０】
まず、蓋体３の係止片３１に設けた抜け止め凹部３１ｘと係止孔２ｘの一端縁に設けた抜け止め部２ｘ１とを係り合わせた状態を解除すべく、蓋体３を係止孔２ｘの延伸方向にスライドさせる。次いで、蓋体３の先端の係止片３１を係止孔２ｘに差し込んだ状態を解除すべく、蓋体３を係止片３１及び係止孔２ｘの延伸方向と垂直な方向に向かい前方に引く。すると、蓋体３及び外ケース部２の外前壁２ａは、このケースＣの接地面と略平行となる位置まで移動させることができ、内ケース部１の内前壁１ａが外部に露出する。この内ケース部１の内前壁１ａは上方が開放されていて、この内ケース部１の内前壁１ａを把持して前方に引くことにより、内ケース部１の内底壁１ｂが引っ張られ、この内底壁１ｂに触れている収納物がつれて前方すなわち外方に向けて移動する。
【００３１】
以上に述べたように、本実施形態に係るケースＣの構成によれば、収納空間ＳＰの６面を内ケース部１及び左右の内側壁部４からなる内壁Ａにより形成した上で、これら内ケース部１及び左右の内側壁部４の全てをそれぞれ外ケース部２及び左右の外側壁部５を含む外壁Ｂにより遮蔽しているので、収納空間ＳＰの６面全てが内壁Ａと外壁Ｂとにより二重に保護される構造となり、簡単な構成によりケースＣとしての強度を確保することができる。しかも、１枚のシート部材Ｓを打ち抜き成形した後折り曲げてこれら内壁Ａ及び外壁Ｂの全てを形成することにより、少ない部品点数及び少ない手間でこのようなケースＣを形成することができる。
【００３２】
また、前記内ケース部１の内前壁１ａが前記収納空間ＳＰを遮蔽する位置と前記収納空間ＳＰを外部と連通させる位置との間で移動可能な蓋片であるとともに、この内ケース部１の内前壁１ａを収納空間ＳＰの外部に向けて移動させることにより収納空間ＳＰ内に収納した収納物を取り出すことを可能に構成しているので、収納空間ＳＰの内部に収納した物品の出し入れを簡単に行うことができる。
【００３３】
さらに、外ケース部２の外底壁２ｂの左右両側縁の稜線上に差込孔４ｘを設け、この差込孔４ｘに左右の外側壁部５の先端に設けた差込突起５１を係合させるようにしているので、接着剤を利用することなくこのようなケースＣの組立を行うことができる。
【００３４】
その上で、本実施形態では、前記差込突起５１の最大幅寸法を前記差込孔の開口幅よりも大きくしているとともに、前記差込突起５１の基端部に幅寸法を前記差込孔の開口幅よりも小さくして形成した係止部を設けているので、この係止部を前記差込孔の開口端縁に係り合わせることにより、前記差込突起５１の抜け止めを図ることができる。
【００３５】
加えて、外ケース部２の外前壁２ａと連続させて開閉操作を受け付ける蓋体３を設定しているとともに、この蓋体３の先端縁部に係止片３１を設け、この蓋体３の内側に隣接する面に係止片３１の延伸方向に垂直に延伸し係止片３１を挿入可能な係止孔２ｘを設け、さらに、係止片３１の延伸方向が該係止片３１を設けた縁部の延伸方向に対して傾斜を有する構成であるので、新たな折り返し箇所を設定することなく蓋体３を係止しておくことができ、また、無理のない動作によりケースＣの開閉操作を行うことができる。
【００３６】
また、前記シート部材Ｓが紙製であるので、このようなケースＣを安価に、また、簡単な加工により形成することができる。
【００３７】
そして、前記外ケース部２の外底壁２ｂの外面に、収納物を示す表示を行うための表示領域Ｂａを形成しているので、使用者に収納物をわかりやすく示すことや、他者に収納物を認識させるための宣伝媒体として用いることが可能になる。
【００３８】
加えて、蓋体３の係止片３１に設けた抜け止め凹部３１ｘと係止孔２ｘの一端縁に設けた抜け止め部２ｘ１とを係り合わせることにより、係止片３１の係止孔２ｘに対する抜け止めを図ることができる。
【００３９】
次に、本考案の第二実施形態を、図７〜図９を参照して説明する。なお、以下の説明において、上述した第一実施形態におけるものに対応する部位には、同一の名称及び符号を付している。
【００４０】
本実施形態は、図７及び図８に示すように、１枚の紙製のシート部材ＳＳから形成したケースＣＣである。このケースＣＣは、直方体状をなし、収納空間ＳＰの前壁、底壁、後壁、及び頂壁（以下、内前壁１ａ、内底壁１ｂ、内後壁１ｃ、及び内頂壁１ｄとそれぞれ称する）を形成する内ケース部１と、この内ケース部１の外方に隣接し、頂壁、後壁、底壁、及び前壁（以下、外頂壁２ｄ、外後壁２ｃ、外底壁２ｂ、及び外前壁２ａとそれぞれ称する）を有する外ケース部２と、この外ケース部２、より具体的には外前壁２ａに隣接し前記外頂壁２ｄに設けた係止孔２ｘに係り合う係止片３１を有する蓋体３と、前記外底壁２ｂの左右両端縁からそれぞれ起立させて設けてなり収納空間ＳＰの左右両側面をそれぞれ形成する左右の内側壁部４と、前記外頂壁２ｄの左右両端縁からそれぞれ垂下させて設けてなり前記左右の内側壁部４を被覆する左右の外側壁部５とを具備する。すなわち、前記内ケース部１及び前記内側壁部４が収納空間ＳＰの６面を形成する内壁Ａとしての機能を有し、前記外ケース部２、蓋体３、及び前記外側壁部５が内壁Ａを外側から遮蔽する外壁Ｂとしての機能を有する。ここで、図８においては、外壁Ｂを薄墨色の部分として示している。以下、主に上述した第一実施形態との相違点について説明する。
【００４１】
前記蓋体３には、上述したように、また、図７に示すように、前記外前壁２ａの上端から後方に向けて延び、前記外頂壁２ｄに重なり合う。また、この蓋体３の後端部には略Ｖ字状の切欠き部３ｘを設けている。さらに、この切欠き部３ｘの端縁からは、前記外頂壁２ｄに設けた係止孔２ｘに差し込むことが可能な係止片３１を切欠き部３ｘ内において突出させて設けている。この係止片３１の先端部３１ａの形状は、突出端に向かい漸次幅寸法が小さくなる略逆Ｖ字形であるが、突出端近傍は円弧状に面取りしている。また、この係止片３１の基端部には、幅寸法が一定な基部３１ｂを設定していて、この基部３１ｂと先端部３１ａとの境界も円弧状に面取りしている。なお、前記係止孔２ｘは、外ケース部２の外頂壁２ｄに設定した折り返し線２ｄ１で折り返し片２ｄ２を内側に折り返すことにより形成している。
【００４２】
ここで、このケースＣＣは、図９に示すような厚紙等の１枚のシート部材Ｓ状の材料を折り曲げて全ての部位を形成している。このケースＣＣの組み立ての手順、このケースＣＣに収納した物品を取り出す際の操作は、上述した第一実施形態に係るケースＣにおけるものと同様である。但し、本実施形態では蓋体３の係止片３１に抜け止め凹部３１ｘを設けておらず、係止孔２ｘにも抜け止め部２ｘ１を設けていないので、物品を取り出す際に蓋体３を係止孔２ｘの延伸方向にスライドさせる操作は必要ない。
【００４３】
本実施形態に係るケースＣＣの構成によっても、上述した第一実施形態におけるケースＣの構成による効果は全て得ることができる。すなわち、収納空間ＳＰの６面を内ケース部１及び左右の内側壁部４からなる内壁Ａにより形成した上で、これら内ケース部１及び左右の内側壁部４の全てをそれぞれ外ケース部２及び左右の外側壁部５を含む外壁Ｂにより遮蔽しているので、収納空間ＳＰの６面全てが内壁Ａと外壁Ｂとにより二重に保護される構造となり、簡単な構成によりケースＣＣとしての強度を確保することができる。しかも、１枚のシート部材Ｓを打ち抜き成形した後折り曲げてこれら内壁Ａ及び外壁Ｂの全てを形成することにより、少ない部品点数及び少ない手間でこのようなケースＣＣを形成することができる。
【００４４】
加えて、本実施形態に係るケースＣＣの構成によれば、前記係止孔２ｘを、折り返し片２ｄ２を折り返し線２ｄ１で内側に折り返して形成しているので、係止片３１を係止孔２ｘに挿入した状態で、折り返し片２ｄ２が係止片３１に弾性当接するので、係止片３１の抜け止めを図ることができる。
【００４５】
なお、本考案は以上に述べた実施形態に限らない。
【００４６】
例えば、上述した実施形態では、内側壁部の下端の差込孔に外側壁部の下端の差込突起を係合させるとともに、内側壁部の上端の第１の抜け止め片を内ケース部の頂壁と外ケース部の頂壁との間に差し込むことにより、接着剤を使用することなくケースを組み立てるようにしているが、接着剤を使用してケースの組み立てを行うようにしてもちろんよい。
【００４７】
また、差込突起の最大幅寸法を前記差込孔の開口幅よりも小さくし、この差込突起の少なくともに接着剤を塗布した状態で差込孔に差し込む態様を採用してもよい。
【００４８】
さらに、蓋体の先端部の係止片を、蓋体の先端部から下方に向けて突出するものとするとともに、外ケース部の後壁の上縁に係止片を挿入可能な係止孔を設ける態様を採用してもよい。また、上述した実施形態において、外ケース部の頂壁に係止片を折り返し線で内側に折り返して形成する代わりに、外ケース部の頂壁に厚み方向に貫通する係止孔を設けるようにしてもよい。さらに、蓋体を省略し、外ケース部の前壁の上端に後方に向けて突出する係止片を設け、外ケース部の頂壁と内ケース部の頂壁との間にこの係止片を挿入するようにしてもよい。
【００４９】
そして、内前壁と内底壁とが連続しているものであれば、例えば、図１０及び図１１に示すように内ケース部Ｘ１を収納空間の前面、底面、後面、及び右側面をそれぞれ形成する内前壁Ｘ１ａ、内底壁Ｘ１ｂ、内後壁Ｘ１ｃ、及び内右側壁Ｘ１ｄにより構成するものとし、外ケース部Ｘ２を内ケース部Ｘ１の内右側壁Ｘ１ｄ、内後壁Ｘ１ｃ、内底壁Ｘ１ｂ、及び内前壁Ｘ１ａにそれぞれ外側から重なり合う外右側壁Ｘ２ｄ、外後壁Ｘ２ｃ、外底壁Ｘ２ｂ、及び外前壁Ｘ２ａにより構成するとともに、外後壁Ｘ２ｃから連続させて内左側壁Ｘ４ａ、内頂壁Ｘ４ｂを設け、この内頂壁Ｘ４ｂを折り返してさらに外頂壁Ｘ５ｂ及び外左側壁Ｘ５ａを形成する態様等、他の態様を採用してもよい。なお、図１０及び図１１に示す態様においては、内ケース部Ｘ１、内左側壁Ｘ４ａ、内頂壁Ｘ４ｂが内壁ＸＡを形成するとともに、外ケース部Ｘ２、外左側壁Ｘ５ａ、外頂壁Ｘ５ｂ、及び蓋体Ｘ３が外壁ＸＢを形成する。このようなものであっても、内前壁Ｘ１ａを収納空間ＳＰを遮蔽する位置と収納空間ＳＰを外部と連通させる位置との間で移動可能な蓋片として機能させ、この内前壁Ｘ１ａを収納空間ＳＰの外部に向けて移動させることにより、内前壁Ｘ１ａ及び内底壁Ｘ１ｂが一体に収納空間ＳＰの外部に向けて移動し収納空間ＳＰ内に収納した収納物を外部に引き出すことができる。なお、図１０及び図１１においても、外壁ＸＢを薄墨色の部分として示している。
【００５０】
さらに、図１２に示すように、略長円柱型筒状をなす内ケース部Ｙ１及び外ケース部Ｙ２と、外ケース部Ｙ２の頂壁Ｙ２ｄに重なり合う蓋体Ｙ３と、外ケース部Ｙ２の底壁Ｙ２ｂから起立して設けた内側壁部Ｙ４と、外ケース部Ｙ２の頂壁Ｙ２ｄから垂下して設けてなり内側壁部Ｙ４に重なり合う図示しない外側壁部とを具備するもの等、直方体状及び立方体状以外の形状をなすものであってもよい。この態様では、前記内ケース部Ｙ１及び内側壁部Ｙ４が内壁ＹＡを形成する。また、前記外ケース部Ｙ２、蓋体Ｙ３，及び外側壁部が外壁ＹＢを形成する。このようなものであっても、内壁Ｙ１の前上端部を収納空間ＳＰの外部に向けて移動させることにより、内底壁Ｙ１ｂがつれて収納空間ＳＰの外部に向けて移動し収納空間ＳＰ内に収納した収納物を外部に引き出すことができる。なお、図９においても、外壁ＹＢを薄墨色の部分として示している。
【００５１】
そして、以上に述べたケースは主にカード類の収納に用いられるものであるが、カード類以外の物品、例えば菓子等を収納するケースに本考案を適用してもよい。
【００５２】
その他、本考案の趣旨を損なわない範囲で種々に変更してよい。
【符号の説明】
【００５３】
Ｃ、Ｃ２、Ｃ３…ケース
ＳＰ…収納空間
Ｓ…シート部材
Ａ、ＸＡ、ＹＡ…内壁
Ｂ、ＸＢ、ＹＢ…外壁
１…内ケース部
１ａ…内前壁（内ケース部の前壁、蓋片）
１ｂ…内底壁（内ケース部の底壁）
１ｃ…内後壁（内ケース部の後壁）
１ｄ…内頂壁（内ケース部の頂壁）
２…外ケース部
２ａ…外前壁（外ケース部の前壁）
２ｂ…外底壁（外ケース部の底壁）
２ｃ…外後壁（外ケース部の後壁）
２ｄ…外頂壁（外ケース部の頂壁）
２ｘ…係止孔
２ｄ１…折り返し線
２ｄ２…折り返し片
３…蓋体
３１…係止片
４…内側壁部
４ｘ…差込孔
５…外側壁部
５１…差込突起
【図１】
0003158323.tif 000003
【図２】
0003158323.tif 000004
【図３】
0003158323.tif 000005
【図４】
0003158323.tif 000006
【図５】
0003158323.tif 000007
【図６】
0003158323.tif 000008
【図７】
0003158323.tif 000009
【図８】
0003158323.tif 000010
【図９】
0003158323.tif 000011
【図１０】
0003158323.tif 000012
【図１１】
0003158323.tif 000013
【図１２】
0003158323.tif 000014